(57)【要約】  【課題】電源供給経路に負荷装置が接続されている場合に、正常に電源を供給しているのか，異常な状態で電源を供給しているのかをユーザが的確に把握できるようにする。  【解決手段】電源供給経路における信号レベルに基づき、この経路に負荷装置が接続された状態で正常な信号レベルの信号が流れていること（ｓ１７０：ＹＥＳ），および，この経路に負荷装置が接続された状態で通常よりも大きな信号レベルの信号が流れていること（ｓ１７０「ＮＯ」）を検出し、その旨を表示部６０に表示させる。そのため、異常な状態で電源が供給されている場合、そのときの表示は、正常に電源が供給されている場合と異なる表示態様となる結果、そのことをユーザに的確に把握させることができる。【選択図】図２
2008090448.tif 000002
【特許請求の範囲】
【請求項１】
電源供給経路に接続された負荷装置に対して電源を供給する電源装置であって、
複数種類の表示態様による表示が可能な表示部と、
前記電源供給経路における信号レベルを検出するレベル検出手段と、
該レベル検出手段により検出された信号レベルが、前記電源供給経路に負荷装置が接続されていない状態における信号レベルとして想定される開放信号レベルである場合に、前記表示部に対し、負荷装置が接続されていない状態に対応する表示態様による表示を指令する開放表示指令手段と、
前記レベル検出手段により検出された信号レベルが、前記電源供給経路に負荷装置が接続された状態における正常な信号レベルとして想定される正常信号レベルである場合に、前記表示部に対し、正常な状態に対応する表示態様による表示を指令する正常表示指令手段と、
前記レベル検出手段により検出された信号レベルが、前記電源供給経路に負荷装置が接続された状態における正常な信号レベルを超えた異常信号レベルである場合に、前記表示部に対し、異常な状態に対応する表示態様による表示を指令する異常表示指令手段と、
を備えていることを特徴とする電源装置。
【請求項２】
前記表示部は、複数のランプで構成されており、
前記開放表示指令手段は、前記レベル検出手段により検出された信号レベルが前記開放信号レベルである場合に、負荷装置が接続されていない状態に対応する組み合わせで、前記複数のランプそれぞれの点灯状態を制御して、
前記正常表示指令手段は、前記レベル検出手段により検出された信号レベルが前記正常信号レベルである場合に、正常な状態に対応する組み合わせで、前記複数のランプそれぞれの点灯状態を制御して、
前記異常表示指令手段は、前記レベル検出手段により検出された信号レベルが前記異常信号レベルである場合に、異常な状態に対応する組み合わせで、前記複数のランプそれぞれの点灯状態を制御する
ことを特徴とする請求項１に記載の電源装置。
【請求項３】
前記表示部は、それぞれ点灯時の色が異なる２つのランプで構成されており、
前記開放表示手段は、前記レベル検出手段により検出された信号レベルが前記開放信号レベルである場合に、前記２つのランプ両方を点灯させて、
前記正常表示指令手段は、前記レベル検出手段により検出された信号レベルが前記正常信号レベルである場合に、前記２つのランプのうち一方のランプのみを点灯させて、
前記異常表示指令手段は、前記レベル検出手段により検出された信号レベルが前記異常信号レベルである場合に、前記２つのランプのうち他方のランプのみを点灯させる
ことを特徴とする請求項２に記載の電源装置。
【請求項４】
前記レベル検出手段により検出された信号レベルが前記異常信号レベルとなった際に、前記電源供給経路から負荷装置へと至る接続経路を開放する接続開放手段を備えている
ことを特徴とする請求項１から３のいずれかに記載の電源装置。
【請求項５】
前記レベル検出手段により検出された信号レベルが前記異常信号レベルとなった以降、ユーザからの操作を受け付ける操作受付手段を備えており、
前記接続開放手段は、前記レベル検出手段により検出された信号レベルが前記異常信号レベルとなった以降、前記操作受付手段によりユーザからの操作が受け付けられた際に、前記電源供給経路から負荷装置へと至る接続経路を接続する
ことを特徴とする請求項４に記載の電源装置。
【請求項６】
請求項１から５のいずれかに記載の全ての手段として機能させるための各種処理手順をコンピュータシステムに実行させるためのプログラム。
【発明の詳細な説明】
【技術分野】
【０００１】
本発明は、電源供給経路に接続された負荷装置に電源を供給する電源装置に関する。
【背景技術】
【０００２】
近年、電源供給経路に接続された負荷装置に電源を供給する電源装置として、電源供給経路の状態に応じた組み合わせで複数のランプ（ＬＥＤ）を点灯させることにより、その電源供給経路の状態を的確に把握できるようにしているものがある（特許文献１参照）。
【０００３】
この電源装置では、電源供給経路に負荷装置が接続されていない状態，電源供給経路に負荷装置が接続されている状態などの状態となっているか否かを判定し、その判定結果に応じてランプを点灯させることで、それら状態を表示させている。
【特許文献１】特開平０８−２１４２２６号
【発明の開示】
【発明が解決しようとする課題】
【０００４】
しかし、上述した電源装置では、電源供給経路に負荷装置が接続されている状態であることを判定することはできるが、このように負荷装置が接続されている場合に、電源装置により正常に電源が供給されているのか，過負荷になっているときのように異常な状態で電源が供給されているのか，といったことまで判定することはできない。
【０００５】
そのため、異常な状態で電源が供給されていたとしても、そのときの表示は、正常に電源が供給されている場合とかわりなく、そのことをユーザに把握させることができないため、電源装置や負荷装置の発熱量を大きくしてしまったり、場合によっては電源装置や負荷装置を故障させてしまう恐れがあった。
【０００６】
本発明は、このような課題を解決するためになされたものであり、その目的は、電源供給経路に負荷装置が接続されている場合に、正常に電源を供給しているのか，異常な状態で電源を供給しているのか，といったことをユーザが的確に把握できるようにするための技術を提供することである。
【課題を解決するための手段】
【０００７】
上記課題を解決するため請求項１に記載の電源装置は、電源供給経路に接続された負荷装置に対して電源を供給する電源装置であって、複数種類の表示態様による表示が可能な表示部と、前記電源供給経路における信号レベルを検出するレベル検出手段と、を備えている。また、この電源装置は、開放表示指令手段，正常表示指令手段，異常表示指令手段を備えている。
【０００８】
これらのうち、開放表示指令手段は、該レベル検出手段により検出された信号レベルが、前記電源供給経路に負荷装置が接続されていない状態における信号レベルとして想定される開放信号レベルである場合に、前記表示部に対し、負荷装置が接続されていない状態に対応する表示態様による表示を指令する。
【０００９】
また、正常表示指令手段は、前記レベル検出手段により検出された信号レベルが、前記電源供給経路に負荷装置が接続された状態における正常な信号レベルとして想定される正常信号レベルである場合に、前記表示部に対し、正常な状態に対応する表示態様による表示を指令する。
【００１０】
そして、異常表示指令手段は、前記レベル検出手段により検出された信号レベルが、前記電源供給経路に負荷装置が接続された状態における正常な信号レベルを超えた異常信号レベルである場合に、前記表示部に対し、異常な状態に対応する表示態様による表示を指令する。
【００１１】
この構成における表示部は、複数種類の表示態様による表示が可能であれば、その具体的な構成は特に限定されない。例えば、複数のランプにより表示部を構成し、点灯させるランプの組み合わせに応じた表示態様による表示ができるようにすることが考えられる。
【００１２】
このように複数のランプにより表示部を構成した場合には、請求項１に記載の構成を、請求項２に記載の電源装置のように構成するとよい。
この電源装置において、前記開放表示指令手段は、前記レベル検出手段により検出された信号レベルが前記開放信号レベルである場合に、負荷装置が接続されていない状態に対応する組み合わせで、前記複数のランプそれぞれの点灯状態を制御する。また、前記正常表示指令手段は、前記レベル検出手段により検出された信号レベルが前記正常信号レベルである場合に、正常な状態に対応する組み合わせで、前記複数のランプそれぞれの点灯状態を制御する。そして、前記異常表示指令手段は、前記レベル検出手段により検出された信号レベルが前記異常信号レベルである場合に、異常な状態に対応する組み合わせで、前記複数のランプそれぞれの点灯状態を制御する。
【００１３】
この構成における表示部は、それぞれ同一の色で点灯するランプにより構成してもよいが、それぞれ異なる色で点灯する複数のランプ群により構成してもよい。また、それぞれが異なる色で点灯するランプにより構成してもよい。
【００１４】
また、この表示部は、複数種類の表示態様による表示をすることができれば、そのランプの数は特に限定されないが、製造コストを考慮すると、その数は少ない方が望ましい。
そのようにランプの数を少なくするためには、例えば、請求項２に記載の構成を、請求項３に記載の電源装置のように構成することが考えられる。
【００１５】
この電源装置において、前記表示部は、それぞれ点灯時の色が異なる２つのランプで構成されている。また、前記開放表示手段は、前記レベル検出手段により検出された信号レベルが前記開放信号レベルである場合に、前記２つのランプ両方を点灯させる。また、前記正常表示指令手段は、前記レベル検出手段により検出された信号レベルが前記正常信号レベルである場合に、前記２つのランプのうち一方のランプのみを点灯させる。そして、前記異常表示指令手段は、前記レベル検出手段により検出された信号レベルが前記異常信号レベルである場合に、前記２つのランプのうち他方のランプのみを点灯させる。
【００１６】
ところで、上述したように、電源供給経路における信号レベルが、異常信号レベルである場合には、電源供給経路に大きな電流が流れてしまう結果、電源装置だけでなく、負荷装置までも損傷させてしまう恐れがある。そのため、そのような事態であることをユーザに把握させることができるようにすることが望ましい。
【００１７】
そのためには、例えば、請求項２に記載の構成を、次に記載の電源装置のように構成することが考えられる。
この電源装置においては、前記レベル検出手段により検出された信号レベルが前記異常信号レベルとなった以降、ユーザからの操作を受け付ける操作受付手段を備えている。そして、前記異常表示指令手段は、前記レベル検出手段により検出された信号レベルが前記異常信号レベルとなった以降、前記操作受付手段によりユーザからの操作が受け付けられるまでの間、前記複数のランプのうち１以上のランプを点滅させる。
【００１８】
また、上述したように、電源供給経路における信号レベルが、異常信号レベルである場合には、そのような事態であることをユーザに把握させることができるようにするだけでなく、電源装置や負荷装置が損傷してしまうことを未然に防止できるようにすることが望ましい。
【００１９】
このためには、請求項１から３のいずれかに記載の構成を、請求項４に記載の電源装置のように構成することが考えられる。
この電源装置は、前記レベル検出手段により検出された信号レベルが前記異常信号レベルとなった際に、前記電源供給経路から負荷装置へと至る接続経路を開放する接続開放手段を備えている。
【００２０】
また、この構成においては、電源供給経路における信号レベルが異常信号レベルであることを把握したユーザが何らかの対策をとった後で、早急に電源供給経路から負荷装置への電源の供給が再開できるように構成することが望ましい。
【００２１】
このためには、請求項４に記載の構成を、請求項５に記載の電源装置のように構成することが考えられる。
この電源装置においては、前記レベル検出手段により検出された信号レベルが前記異常信号レベルとなった以降、ユーザからの操作を受け付ける操作受付手段を備えている。そして、前記接続開放手段は、前記レベル検出手段により検出された信号レベルが前記異常信号レベルとなった以降、前記操作受付手段によりユーザからの操作が受け付けられた際に、前記電源供給経路から負荷装置へと至る接続経路を接続する。
【００２２】
なお、上述したレベル検出手段により検出される信号レベルとは、電源供給経路を流れる電流の電流値であってもよいし、電源供給経路における所定区間（例えば、出力端子など）に印加される電圧の電圧値であってもよい。
【００２３】
また、請求項６に記載のプログラムは、請求項１から５のいずれかに記載の全ての手段として機能させるための各種処理手順をコンピュータシステムに実行させるためのプログラムである。
【００２４】
なお、このようなプログラムは、各種記録媒体や通信回線を介して電源装置やこれを利用するユーザに提供されるものである。
【発明の効果】
【００２５】
請求項１に記載の電源装置によれば、電源供給経路における信号レベルに基づき、この経路が正常な信号レベルとなっている正常な状態であること，および，この経路が異常な信号レベルとなっている異常な状態であること，を検出し、その旨を表示部により表示させることができる。
【００２６】
そのため、異常な状態で電源が供給されている場合、そのときの表示は、正常に電源が供給されている場合と異なる表示態様になる結果、そのことをユーザに的確に把握させることができる。これにより、ユーザに何らかの対策をとらせることができ、電源装置や負荷装置の発熱量を大きくしてしまったり、電源装置や負荷装置を故障させてしまうといった事態を未然に防止することができる。
【００２７】
請求項２に記載の電源装置によれば、電源供給経路の状態を、複数のランプが点灯する組み合わせにより表示させることができる。
請求項３に記載の電源装置によれば、２つのランプによって、電源供給経路における信号レベルが上記３つの信号レベル（開放信号レベル，正常信号レベル，異常信号レベル）のいずれかであることを表示することができる。これにより、表示部を構成するランプの数を少なくすることができるため、３つ以上のランプにより表示部を構成する場合と比べて、電源装置としての製造コストを抑えることができる。
【００２８】
請求項４に記載の電源装置によれば、電源供給経路における信号レベルが異常信号レベルとなった場合に、電源供給経路から負荷装置へと至る接続経路を開放することができ、これにより、電源供給経路に大きな電流が流れてしまうことを防止できる。そのため、そのように大きな電流が流れてしまうことにより、電源装置や負荷装置が損傷してしまうことを未然に防止することができる。
【００２９】
請求項５に記載の電源装置によれば、電源供給経路における信号レベルが異常信号レベルとなった以降、電源供給経路から負荷装置へと至る接続経路が開放されるが、その後、ユーザからの操作を受けて、その接続経路が接続される。
【００３０】
そのため、電源供給経路における信号レベルが異常信号レベルであることを把握したユーザが何らかの対策をとった後で、電源装置に対する操作を行うことにより、早急に電源供給経路から負荷装置への電源の供給を再開させることができる。
【００３１】
請求項６に記載のプログラムにより制御されるコンピュータシステムは、請求項１から５のいずれかに記載の電源装置の一部として機能することができる。
【発明を実施するための最良の形態】
【００３２】
以下に本発明の実施形態を図面と共に説明する。
（１）全体構成
電源装置１は、外部電源（例えば、ＡＣ１００Ｖ）に接続される入力端子１０，入力端子１０から入力される電源に基づいて所定の電源（例えば、ＤＣ１５Ｖ）を生成する電源供給部２０，電源供給部２０から電源供給経路を介して供給された電源を負荷装置へと供給するための出力端子３０，電源供給経路を開放または接続するスイッチ部４０，電源供給経路を流れる信号の電流値および出力端子３０の電圧値を検出する検出部５０，２つのランプ（本実施形態では、ＬＥＤ）からなる表示部６０，検出部５０による検出結果に基づいてスイッチ部４０および表示部６０の動作を制御する制御部７０，制御部７０に対して後述するリセット指令を出力するためのリセットスイッチ８０，本電源装置１の起動時にパワーオンリセットを行うパワーオンリセット部９０などからなる。
【００３３】
これらのうち、表示部６０は、それぞれ点灯時の色が赤，緑のランプで構成され、これらランプが隣接する位置に配置されている。このように各ランプが隣接していることから、両方が点灯した際には、表示部６０として赤と緑を混合させたオレンジの表示がなされることとなる。
【００３４】
なお、本実施形態においては、負荷装置である受信用アンテナと、電源装置を備えた増幅器（ブースタ）とからなる受信システムにおける増幅器の電源装置として、本願発明の電源装置を採用した場合を例示する。
（２）制御部７０による状態検知処理
以下に、制御部７０が内蔵メモリに記憶されたプログラムに従って実行する状態検知処理の処理手順を図２に基づいて説明する。この状態検知処理は、電源装置１が起動された以降、繰り返し実行される。
【００３５】
この状態検知処理が起動されると、まず、スイッチ部４０に電源供給経路を接続すべき旨が指令される（ｓ１２０）。この指令を受けたスイッチ部４０は、電源供給経路を接続し、これにより、電源供給部２０からスイッチ部４０を介して負荷装置へと電源の供給が開始される。
【００３６】
次に、表示部６０に全てのランプを消灯すべき旨が指令される（ｓ１３０）。この指令を受けた表示部６０は、各ランプが点灯または点滅している場合であれば、その点灯または点滅を終了する。
【００３７】
次に、検出部５０により検出されるパラメータとして、電源供給経路を流れる信号の電流値Ｉ，および，出力端子３０の電圧値Ｖそれぞれがチェックされる（ｓ１４０）。
次に、ｓ１４０にてチェックされた電流値Ｉが開放信号レベルＩｍｉｎより大きいか否かがチェックされる（ｓ１５０）。この「開放信号レベルＩｍｉｎ」は、電源供給経路に負荷装置が接続されていない状態における信号レベルとして想定される信号レベル（例えば、０）である。つまり、電流値Ｉが開放信号レベルＩｍｉｎ以下になるということは、電源供給経路に負荷装置が接続されていない状態になっていることを意味する。
【００３８】
このｓ１５０で、電流値Ｉが開放信号レベルＩｍｉｎ以下であると判定された場合（ｓ１５０：ＮＯ）、表示部６０に両方のランプを点灯すべき旨が指令された後（ｓ１６０）、プロセスがｓ１４０へ戻る。このｓ１６０での指令を受けた表示部６０は、赤，緑のランプ両方を点灯させ、これにより、表示部６０としてオレンジ色による表示，本実施形態では負荷装置が接続されていない開放状態であることを意味する表示がなされる。
【００３９】
また、ｓ１５０で、電流値Ｉが開放信号レベルＩｍｉｎより大きいと判定された場合（ｓ１５０：ＹＥＳ）、その電流値Ｉが異常信号レベルＩｍａｘより小さいか否かがチェックされる（ｓ１７０）。この「異常信号レベルＩｍａｘ」は、電源供給経路に負荷装置が接続された状態における正常な信号レベルとして想定される信号レベルよりも所定値だけ大きな信号レベルである。
【００４０】
つまり、電流値Ｉが異常信号レベルＩｍａｘ以上になるということは、電源供給経路に負荷装置が接続された状態で、通常よりも大きな信号レベルの信号が流れてしまっている（例えば、過負荷やショート状態になっている）ことを意味する。それに対し、電流値Ｉが異常信号レベルＩｍａｘより小さくなるということは、出力端子３０に負荷装置が接続された状態で正常な信号レベル（正常信号レベル）の信号が流れていることを意味する。
【００４１】
このｓ１７０で、電流値Iが異常信号レベルＩｍａｘより小さいと判定された場合（ｓ１７０：ＹＥＳ）、表示部６０に一方のランプを点灯すべき旨が指令された後（ｓ２００）、プロセスがｓ１４０へ戻る。このｓ２００での指令を受けた表示部６０は、緑のランプのみを点灯させ、これにより、表示部６０として緑色による表示，本実施形態では正常に動作している正常状態であることを意味する表示がなされる。
【００４２】
また、ｓ１７０で、電流値Ｉが異常信号レベルＩｍａｘ以上であると判定された場合（ｓ１７０：ＮＯ）、表示部６０に他方のランプを点灯すべき旨が指令される（ｓ１８０）。このｓ１８０での指令を受けた表示部６０は、赤のランプのみを点灯させ、これにより、表示部６０として赤色による表示，本実施形態では過負荷やショートなどの異常が発生している異常状態であることを意味する表示がなされる。
【００４３】
次に、ｓ１４０にてチェックされた電圧値Ｖが短絡信号レベルＶｓ以下となっているか否かがチェックされる（ｓ１９０）。この「短絡信号レベルＶｓ」は、出力端子３０が短絡した状態における信号レベルとして想定される信号レベル（例えば、０）である。つまり、電圧値Ｖが短絡信号レベルＶｓ以下になっているということは、出力端子３０が短絡していることを意味する。
【００４４】
このｓ１９０で、電圧値Ｖが短絡信号レベルＶｓ以下になっていると判定された場合（ｓ１９０：ＹＥＳ）、表示部６０に他方のランプを点滅させるべき旨が指令された後（ｓ２１０）、プロセスが次の処理（ｓ２２０）へ移行する。このｓ２１０での指令を受けた表示部６０は、赤のランプのみを点滅させ、これにより、表示部６０として赤色を点滅させた表示，本実施形態では出力端子３０が短絡している短絡状態であることを意味する表示がなされる。
【００４５】
一方、ｓ１９０で、電圧値Ｖが短絡信号レベルＶｓより大きいと判定された場合（ｓ１９０：ＮＯ）、ｓ２１０が行われることなく、プロセスが次の処理（ｓ２２０）へ移行する。
【００４６】
次に、スイッチ部４０に電源供給経路を開放すべき旨が指令される（ｓ２２０）。この指令を受けたスイッチ部４０は、電源供給経路を開放し、これにより、電源供給部２０から負荷装置への電源の供給が終了する。
【００４７】
そして、リセットスイッチ８０からのリセット指令を受けるまで待機状態となった後（ｓ２３０：ＮＯ）、リセット指令を受けたら（ｓ２３０：ＹＥＳ）、プロセスがｓ１２０へ戻り、ｓ１２０以降の処理が繰り返される。
【００４８】
以上の状態検知処理において、表示部６０に表示される表示態様の一覧を図３に示す。これからも明らかなように、開放状態のときには両方のランプが点灯することでオレンジ色による表示がなされ、異常状態のときには他方のランプのみが点灯することで赤色による表示がなされ、正常状態のときには一方のランプのみが点灯することで緑色による表示がなされ、短絡状態のときには他方のランプが点滅することで赤色の点滅による表示がなされる。
（３）作用，効果
このように構成された電源装置１によれば、電源供給経路における信号レベル（電流値Ｉまたは電圧値Ｖ）に基づき、この経路に負荷装置が接続された状態で正常な信号レベルの信号が流れていること（図２のｓ１７０「ＹＥＳ」），および，この経路に負荷装置が接続された状態で通常よりも大きな信号レベルの信号が流れてしまっていること（同図ｓ１７０「ＮＯ」），を検出し、その旨を表示部６０により表示させることができる（同図ｓ２００，ｓ１８０）。
【００４９】
そのため、異常な状態で電源が供給されている場合、そのときの表示は、正常に電源が供給されている場合と異なる表示態様となる結果、そのことをユーザに的確に把握させることができる。これにより、ユーザに何らかの対策をとらせることができ、電源装置１や負荷装置の発熱量を大きくしてしまったり、電源装置１や負荷装置を故障させてしまうといった事態を未然に防止することができる。
【００５０】
また、上記実施形態では、表示部６０における２つのランプが点灯する組み合わせを切り替えることにより、電源供給経路の状態を表示させることができる（図２のｓ１６０，ｓ１８０，ｓ２００，ｓ２１０）。
【００５１】
また、上記実施形態では、表示部６０の２つのランプによって、電源供給経路における信号レベルが４つの信号レベル（開放信号レベル，短絡信号レベル，正常信号レベル，異常信号レベル）のいずれかであることを表示することができる（図２のｓ１６０，ｓ１８０，ｓ２００，ｓ２１０）。これにより、表示部６０を構成するランプの数を少なくすることができるため、３つ以上のランプにより表示部を構成する場合と比べて、電源装置１としての製造コストを抑えることができる。
【００５２】
また、上記実施形態では、電源供給経路における信号レベルが短絡信号レベルとなった場合には、その旨を、他方のランプを点滅させることにより（図２のｓ２１０）、その旨をユーザに把握させることができる。これにより、ユーザに何らかの対策をとらせることができる結果、電源装置１や負荷装置を損傷させてしまうといった事態を防止することができる。
【００５３】
また、上記実施形態では、電源供給経路における信号レベルが短絡信号レベルまたは異常信号レベルとなった場合に（図２のｓ１７０「ＮＯ」）、電源供給経路から負荷装置へと至る接続経路を開放することができ（同図ｓ２２０）、これにより、電源供給経路に大きな電流が流れてしまうことを防止できる。そのため、そのように大きな電流が流れてしまうことにより、電源装置１や負荷装置が損傷してしまうことを未然に防止することができる。
【００５４】
また、上記実施形態では、電源供給経路における信号レベルが短絡信号レベルまたは異常信号レベルとなった以降、電源供給経路から負荷装置へと至る接続経路が開放されるが（図２のｓ２２０）、その後、ユーザからの操作を受けると、その接続経路が接続される（同図ｓ１２０）。そのため、電源供給経路における信号レベルが短絡信号レベルまたは異常信号レベルであることを把握したユーザが何らかの対策ととった後で、リセットスイッチ８０を操作することにより、早急に電源供給経路から負荷装置への電源の供給を再開させることができる。
（４）変形例
以上、本発明の実施の形態について説明したが、本発明は、上記実施形態に何ら限定されることはなく、本発明の技術的範囲に属する限り種々の形態をとり得ることはいうまでもない。
【００５５】
例えば、上記実施形態においては、受信システムにおける増幅器の電源装置として本願発明の電源装置を採用した場合を例示した。しかし、本願発明の電源装置は、増幅器の電源装置以外の電源装置として適用できることはいうまでもない。
【００５６】
また、上記実施形態においては、表示部６０による表示態様が、上述したような組み合わせでランプを点灯させることとなっている構成を例示した（図３参照）。しかし、この表示部６０による表示態様については、この組み合わせ以外でランプを点灯させることとしてもよい。
【００５７】
また、上記実施形態では、表示部６０が２つのランプにより構成されたものを例示した。しかし、この表示部６０は、３つ以上のランプにより構成してもよく、この場合、状態検知処理（図２）を、点灯させるランプの組み合わせに応じた表示態様により、各表示を行うように構成すればよい。また、複数種類の音声（メッセージ，音色，音の長さ）を出力可能な出力部を備え、これにより、各表示に応じた音声の出力を行うように構成することが考えられる。
【００５８】
また、上記実施形態では、表示部６０がランプにて表示を行うように構成されたものを例示した。しかし、この表示部６０は、複数種類の表示態様による表示を行うことができれば、ランプ以外の構成要素により構成してもよい。
【００５９】
また、上記実施形態では、表示部６０のランプそれぞれが点灯時の色が異なっている構成を例示した。しかし、これらランプそれぞれは、同一の色で点灯するランプにより構成してもよく、この場合、状態検知処理（図２）を、点灯させるランプの組み合わせに応じた表示態様により、各表示を行うように構成すればよい。また、これらランプは、それぞれ異なる色で点灯する複数のランプ群により構成してもよい。
【００６０】
また、上記実施形態においては、図２のｓ１９０で電圧値Ｖが短絡信号レベルＶｓ以下になっていると判定された場合、同図ｓ２１０にて、表示部６０における他方のランプが点滅されるように構成されたものを例示した。しかし、このｓ２１０では、表示部６０における全てのランプを消灯させるように構成してもよい。この場合、制御部７０が主体的にランプを消灯させてもよいし、短絡に起因する電源供給の停止に基づいてランプが消灯するようにしてもよい。
【００６１】
また、このｓ１９０では、短絡信号レベル以下であるか否かを電圧値により判定するように構成されたものを例示した。しかし、この判定は、電圧値ではなく、図２のｓ１４０にて検出された電流値により行うように構成してもよい。
（５）本発明との対応関係
以上説明した実施形態において、図２のｓ１４０が本発明におけるレベル検出手段であり、同図ｓ１６０が本発明における開放表示指令手段であり、同図ｓ２００が本発明における正常表示指令手段であり、同図ｓ１８０が本発明における異常表示指令手段であり、同図ｓ２３０が本発明における操作受付手段であり、同図ｓ２２０が本発明における接続開放手段である。
【図面の簡単な説明】
【００６２】
【図１】電源装置の構成を示すブロック図
【図２】状態検知処理を示すフローチャート
【図３】表示部に表示される表示態様の一覧を示す図
【符号の説明】
【００６３】
１…電源装置、１０…入力端子、２０…電源供給部、３０…出力端子、４０…スイッチ部、５０…検出部、６０…表示部、７０…制御部、８０…リセットスイッチ。
【図１】
2008090448.tif 000003
【図２】
2008090448.tif 000004
【図３】
2008090448.tif 000005